(57)【要約】【課題】  使用者が快適に便蓋に着座できる便座装置を提供する。【解決手段】    便器の上面に開閉可能に取り付けられた便蓋１０及び便座２０を備え、前記便蓋１０は、前記便蓋１０が閉じられているときに前記便座２０上方における前記便蓋１０の上面部分を加熱する加熱部１１を有する。【選択図】  図２
2018000764.tif 000002
【特許請求の範囲】
【請求項１】
便器の上面に開閉可能に取り付けられた便蓋及び便座を備え、
前記便蓋は、前記便蓋が閉じられているときに前記便座上方における前記便蓋の上面部分を加熱する加熱部を有する
便座装置。
【請求項２】
前記加熱部は、加熱ヒータを有する
ことを特徴とする請求項１に記載の便座装置。
【請求項３】
前記便蓋は、上面部分が前記加熱部により加熱される便蓋第一カバー部を有し、
前記加熱ヒータは、前記便蓋第一カバー部の下面部分に配置される
ことを特徴とする請求項２に記載の便座装置。
【請求項４】
前記便蓋第一カバー部は、高熱伝導率材料を用いて形成される
ことを特徴とする請求項３に記載の便座装置。
【請求項５】
前記便蓋は、
前記便蓋第一カバー部の下方に配置され、当該便蓋第一カバー部との間に空間を形成する便蓋第二カバー部と、
前記便蓋第一カバー部と前記便蓋第二カバー部との間の前記空間に配置される断熱材と、を有する
ことを特徴とする請求項３又は４に記載の便座装置。
【請求項６】
前記便器内に開口する前記便座の開口部の上方において、前記断熱材が配置される
ことを特徴とする請求項５に記載の便座装置。
【請求項７】
前記便座は、当該便座を加熱する便座ヒータを有し、
前記加熱部は、前記加熱された前記便座からの熱を伝達する高熱伝導率材料を用いて形成される
ことを特徴とする請求項１に記載の便座装置。
【請求項８】
前記便蓋は、
上面部分が前記加熱部により加熱される便蓋第三カバー部と、
前記便器内に開口する前記便座の開口部の上方に便蓋第四カバー部と、を有し、
前記便蓋第四カバー部は、断熱材が配置される
ことを特徴とする請求項７に記載の便座装置。
【発明の詳細な説明】
【技術分野】
【０００１】
本発明は、便座装置に関する。
【背景技術】
【０００２】
特許文献１は、便座本体を加熱する便蓋ヒータを便蓋に備える暖房便座を開示する。特許文献１に開示された暖房便座は、便蓋ヒータにより便座上面の素早い加熱を行うことができる。
【先行技術文献】
【特許文献】
【０００３】
【特許文献１】特開２０００−２６２４３号公報
【発明の概要】
【発明が解決しようとする課題】
【０００４】
特許文献１は、便蓋に備えられた便蓋ヒータは便座上面を加熱するため、便蓋上面は加熱されない。よって、使用者が便蓋上面に着座する場合、便蓋上面は冷たいため使用者に不快感を与えてしまう。
【０００５】
本発明によれば、上述した課題に鑑み、使用者が快適に便蓋に着座できる便座装置を提供することを目的とする。
【課題を解決するための手段】
【０００６】
本発明の一態様に係る便座装置は、便器の上面に開閉可能に取り付けられた便蓋及び便座を備え、前記便蓋は、前記便蓋が閉じられているときに前記便座上方における前記便蓋の上面部分を加熱する加熱部を有する。
【０００７】
このような構成によれば、便蓋が閉じられているときに便座上方における便蓋の上面部分を加熱部が加熱することで、便蓋が温められる。よって、使用者が便蓋に着座した際に、便蓋は温められているため使用者が快適に便蓋に着座できる。
【０００８】
上記便座装置において、前記加熱部は、加熱ヒータを有してもよい。
【０００９】
このような構成によれば、加熱ヒータを備えた加熱部は、便蓋が閉じられているときに便座上方における便蓋の上面部分を加熱する。よって、便蓋を温めることができる。
【００１０】
上記便座装置において、前記便蓋は、上面部分が前記加熱部により加熱される便蓋第一カバー部を有し、前記加熱ヒータは、前記便蓋第一カバー部の下面部分に配置されてもよい。
【００１１】
このような構成によれば、加熱ヒータを便蓋第一カバー部の下面部分に配置させることで、便蓋が閉じられているときに便座上方における便蓋の上面部分を確実に加熱する。よって、便蓋上面を確実に温めることができる。
【００１２】
上記便座装置において、前記便蓋第一カバー部は、高熱伝導率材料を用いて形成されてもよい。
【００１３】
このような構成によれば、便蓋第一カバー部に高熱伝導率材料を用いて形成することで、便蓋第一カバー部に加熱部の熱を素早く伝えることができる。よって、便蓋を素早く温めることができる。
【００１４】
上記便座装置において、前記便蓋は、前記便蓋第一カバー部の下方に配置され、当該便蓋第一カバー部との間に空間を形成する便蓋第二カバー部と、前記便蓋第一カバー部と前記便蓋第二カバー部との間の前記空間に配置される断熱材と、を有してもよい。
【００１５】
このような構成によれば、便蓋第一カバー部と便蓋第二カバー部との間の空間に断熱材を備えることで、温められた便蓋の熱が便座側及び便座の開口部側へ放散することを防ぐことができる。よって、便蓋の温度低下を抑制できる。
【００１６】
上記便座装置において、前記便器内に開口する前記便座の開口部の上方において、前記断熱材が配置されてもよい。
【００１７】
このような構成によれば、便座の開口部の上方に断熱材を備えることで、温められた便蓋の熱が便座の開口部側へ放散することを防ぐことができる。よって、便蓋の温度低下を抑制できる。
【００１８】
上記便座装置において、前記便座は、当該便座を加熱する便座ヒータを有し、前記加熱部は、前記加熱された前記便座からの熱を伝達する高熱伝導率材料を用いて形成されてもよい。
【００１９】
このような構成によれば、高熱伝導率材料を用いて形成された加熱部は、加熱された便座からの熱を便蓋に伝達することができる。よって、便蓋が閉じられているときに便座上方における便蓋の上面部分が加熱されるため、便蓋を温めることができる。
【００２０】
上記便座装置において、前記便蓋は、上面部分が前記加熱部により加熱される便蓋第三カバー部と、前記便器内に開口する前記便座の開口部の上方に便蓋第四カバー部と、を有し、当該便蓋第四カバー部は、断熱材が配置されてもよい。
【００２１】
このような構成によれば、便蓋第四カバー部に断熱材を配置することで、温められた便蓋の熱が便座の開口部の中央側へ放散することを防ぐことができる。よって、便蓋の温度低下を抑制できる。
【発明の効果】
【００２２】
本発明によれば、使用者が快適に便蓋に着座できる便座装置を提供することを目的とする。
【図面の簡単な説明】
【００２３】
【図１】本発明の第１実施形態に係る洗浄便座装置の斜視図。
【図２】本発明の第１実施形態に係る断面図。
【図３】本発明の第２実施形態に係る断面図。
【図４】本発明の第３実施形態に係る断面図。
【図５】本発明の第４実施形態に係る断面図。
【発明を実施するための形態】
【００２４】
（第１実施形態）
以下、便座装置１の第１実施形態について説明する。
【００２５】
図１は、本発明の一実施形態に係る便座装置１の斜視図を示す。図１に示すように便座装置１は、便蓋１０、便座２０、本体部３０、人検知用センサ３１を備える。さらに、便座装置１は、制御部（不図示）を備える。便蓋１０及び便座２０は、便器（不図示）の上面に開閉可能に取り付けられている。本体部３０は、使用者が便座２０に着座する側の後方において便器（不図示）に取り付けられ、便蓋１０及び便座２０の開閉駆動を行う開閉機構を内部に備える。人検知用センサ３１は、本体部３０に備えられる。制御部（不図示）は、人検知用センサ３１の検出結果を入力される。
【００２６】
図２は、図１におけるＡ−Ａ断面図を示す。便座２０は、便座２０を加熱する便座ヒータ２１を備える。便蓋１０は、便蓋第一カバー部１０ａと、便蓋第一カバー部１０ａの下方に配置される便蓋第二カバー部１０ｂを備える。便蓋第一カバー部１０ａは、下面部分に加熱ヒータ１１を備える。便蓋第一カバー部１０ａと便蓋第二カバー部１０ｂの間には空間が形成される。便蓋第一カバー部１０ａの材料は、高熱伝導率材料を用いる。便蓋第二カバー部１０ｂの材料は、樹脂を用いる。便蓋第一カバー部１０ａと便蓋第二カバー部１０ｂは、どちらか一方に係合部（不図示）と、他方に被係合部（不図示）を備える。係合部（不図示）を非係合部（不図示）に係合させることで、便蓋第一カバー部１０ａと便蓋第二カバー部１０ｂは嵌合する。加熱ヒータ１１は、便座２０上方における便蓋１０の上面部分を加熱することで便蓋１０が温められる。よって、使用者が便蓋１０に着座した際に、便蓋１０は温められているため使用者が快適に便蓋１０に着座できる。
【００２７】
制御部（不図示）による加熱ヒータ１１の制御方法を以下に説明する。人検知用センサ３１により人を検知していない場合と人検知用センサ３１により人を検知した場合の加熱ヒータ１１の制御方法を示す。人検知用センサ３１により人を検知していない場合は、便蓋１０の温度が設定温度よりも低い温度になるように加熱ヒータ１１を制御する。人検知用センサ３１により人を検知した場合は、便蓋１０の温度が設定温度になるように加熱ヒータ１１を制御する。便蓋第一カバー部１０ａの材料は高熱伝導率材料を用いているため、加熱ヒータ１１の熱を便蓋１０に素早く伝えることができる。よって、素早く便蓋１０を温めることができる。上記の構成によれば、人検知用センサ３１により人を検知していない場合、設定温度よりも低い温度で便蓋１０を温めているため、常に設定温度で便蓋１０を温めている場合と比べて消費電力を抑えることができる。また、使用者が便蓋１０に着座する際は便蓋１０が温められているため、使用者は快適に便蓋１０に着座することができる。
【００２８】
便蓋第一カバー部１０ａと便蓋第二カバー部１０ｂとの間の空間には、断熱材１２を備える。よって、温められた便蓋１０の熱が便座１０側及び便器（不図示）内に開口する便座２０の開口部側へ放散することを防ぐことができる。また、温められた便座２０の熱が便蓋１０側及び便座２０の開口部側へ放散することを防ぐことができる。よって、便蓋１０及び便座２０の温度低下を抑制できる。
【００２９】
以上詳述したように、本実施形態によれば以下に示す効果を得る。
（１）便蓋１０が閉じられているときに便座２０上方における便蓋１０の上面部分を加熱部が加熱することで、便蓋１０が温められる。よって、使用者が便蓋１０に着座した際に、便蓋１０は温められているため使用者が快適に便蓋１０に着座できる。
（２）加熱ヒータ１１を備えた加熱部は、便蓋１０が閉じられているときに便座２０上方における便蓋１０の上面部分を加熱する。よって、便蓋１０を温めることができる。
（３）加熱ヒータ１１を便蓋第一カバー部１０ａの下面部分に配置させることで、便蓋１０が閉じられているときに便座２０上方における便蓋１０の上面部分を確実に加熱する。よって、便蓋１０上面を確実に温めることができる。
（４）便蓋第一カバー部１０ａに高熱伝導率材料を用いて形成することで、便蓋第一カバー部１０ａに加熱部の熱を素早く伝えることができる。よって、便蓋１０を素早く温めることができる。
（５）便蓋第一カバー部１０ａと便蓋第二カバー部１０ｂとの間の空間に断熱材１２を備えることで、温められた便蓋１０の熱が便座２０側及び便座２０の開口部側へ放散することを防ぐことができる。よって、便蓋１０の温度低下を抑制できる。
（６）便座２０の開口部の上方に断熱材１２を備えることで、温められた便蓋１０の熱が便座２０の開口部側へ放散することを防ぐことができる。よって、便蓋１０の温度低下を抑制できる。
（７）高熱伝導率材料を用いて形成された加熱部は、加熱された便座２０からの熱を便蓋１０に伝達することができる。よって、便蓋１０が閉じられているときに便座２０上方における便蓋１０の上面部分が加熱されるため、便蓋１０を温めることができる。
（８）便蓋第四カバー部１０ｄに断熱材１２を配置することで、温められた便蓋１０の熱が便座２０の開口部の中央側へ放散することを防ぐことができる。よって、便蓋１０の温度低下を抑制できる。
（第１実施形態の変形例）
上述した実施の形態では人検知用センサ３１は、本体部３０に備えられるが本発明はこれに限定されない。トイレの天井又は壁などに備えられた人検知用センサ３１を利用して、人を検知してもよい。
【００３０】
上述した実施の形態では便蓋１０は、便蓋第一カバー部１０ａと便蓋第二カバー部１０ｂを備えるが本発明はこれに限定されない。便蓋１０は、便蓋第一カバー部１０ａのみを備えてもよい。上記構成とした場合の便蓋第一カバー部１０ａは、下面部分に断熱材１２を備えてもよい。
【００３１】
上述した実施の形態では便蓋第一カバー部１０ａ全体に高熱伝導率材料を用いるとしたが本発明はこれに限定されない。便蓋第一カバー部１０ａは、加熱ヒータ１１により加熱される部分に高熱伝導率材料を用いてもよい。
【００３２】
上述した実施の形態では加熱ヒータ１１は、便蓋第一カバー部１０ａの下面部分に備えるとしたが本発明はこれに限定されない。加熱ヒータ１１は、便蓋１０が閉じられているときに便座２０上方における便蓋１０の上面部分を加熱する位置に備えればよい。便蓋第一カバー部１０ａと便蓋第二カバー部１０ｂとの間の空間において、例えば、便蓋第二カバー部１０ｂの上面部分又は便蓋第一カバー部１０ａの使用者が便蓋１０に着座する側に備えてもよい。また、便蓋第一カバー部１０ａと便蓋第二カバー部１０ｂとの間の空間だけでなく、便蓋第一カバー部１０ａの上面部分に備えてもよい。
【００３３】
上述した実施の形態では断熱材１２は、便蓋第一カバー部１０ａと便蓋第二カバー部１０ｂの間に備えるとしたが本発明はこれに限定されない。断熱材１２は、便器（不図示）内に開口する便座２０の開口部の上方における便蓋第一カバー部１０ａと便蓋第二カバー部１０ｂとの間の空間に備えてもよい。
（第２実施形態）
図３を参照して第２実施形態に係る便座装置１について説明する。便蓋第一カバー部１０ａと便蓋第二カバー部１０ｂは、同じ材質の樹脂を用いる。便蓋第一カバー部１０ａと便蓋第二カバー部１０ｂは、熱溶着により溶着されている。熱溶着により溶着された便蓋第一カバー部１０ａと便蓋第二カバー部１０ｂの間には隙間がないため、便蓋第一カバー部１０ａと便蓋第二カバー部１０ｂの間に汚れが付着するのを抑制できる。よって、清潔性を保つことができる。断熱材１２は、便器（不図示）内に開口する便座２０の開口部の上方における便蓋第一カバー部１０ａと便蓋第二カバー部１０ｂとの間の空間に備えられる。断熱材１２を備えることにより、温められた便蓋１０の熱が便座２０の開口部側へ放散することを防ぐことができる。よって、便蓋１０の温度低下を抑制できる。
【００３４】
上述した第２実施形態では断熱材１２は、便器（不図示）内に開口する便座２０の開口部の上方における便蓋第一カバー部１０ａと便蓋第二カバー部１０ｂとの間の空間に備えるとしたが、便蓋第一カバー部１０ａと便蓋第二カバー部１０ｂの間に備えてもよい。
（第３実施形態）
図４を参照して第３実施形態に係る便座装置１について説明する。便蓋１０は、便蓋第三カバー部（加熱部）１０ｃと便蓋第四カバー部１０ｄを備える。便蓋第三カバー部（加熱部）１０ｃは、便蓋１０が閉じられているときに便座２０上方に配置される。便蓋第四カバー部１０ｄは、便器（不図示）内に開口する便座２０の開口部の上方に配置される。便蓋第三カバー部（加熱部）１０ｃは、加熱された便座２０からの熱を伝達する高熱伝導率材料を用いて形成される。よって、便座ヒータ２１によって加熱された便座２０の熱を便蓋１０に伝えることができるため、便蓋１０を温めることができる。また、加熱された便座２０の熱を利用して便蓋１０を温めるため、コストを抑えることができる。断熱材１２は、便蓋第四カバー部１０ｄの内部に備えられる。便蓋第四カバー部１０ｄの内部に断熱材１２を備えることで、温められた便蓋１０の熱が便座２０の開口部側へ放散することを防ぐことができる。よって、便蓋１０の温度低下を抑制できる。
【００３５】
上述した第３実施形態では断熱材１２は、便蓋第四カバー部１０ｄの内部に備えるとしたが本発明はこれに限定されない。断熱材１２は、便蓋第四カバー部１０ｄの下面部分又は、使用者が便蓋２０に着座する際に邪魔にならないように上面部分に備えてよい。
（第４実施形態）
図５を参照して第４実施形態に係る便座装置１について説明する。便蓋１０は、便座２０表面形状に沿った形状としてもよい。便蓋１０は、便蓋第三カバー部（加熱部）１０ｃと便蓋第四カバー部１０ｄを備える。便蓋第三カバー部（加熱部）１０ｃは、便蓋１０が閉じられているときに便座２０上方部分に備えられる。便蓋第四カバー部１０ｄは、便蓋１０が閉じられているときに便器（不図示）内に開口する便座２０の開口部の上方に備えられる。便蓋第三カバー部（加熱部）１０ｃは、加熱された便座２０からの熱を伝達する高熱伝導率材料を用いて形成される。更に便蓋第三カバー部（加熱部）１０ｃは、便座２０表面形状に沿った形状となっている。よって、便座ヒータ２１によって加熱された便座２０の熱を確実に便蓋１０に伝えることができるため、便蓋１０を温めることができる。また、加熱された便座２０の熱を利用して便蓋１０を温めるため、コストを抑えることができる。
【符号の説明】
【００３６】
１：便座装置
１０：便蓋
１０ａ：便蓋第一カバー部
１０ｂ：便蓋第二カバー部
１０ｃ：便蓋第三カバー部（加熱部）
１０ｄ：便蓋第四カバー部
１１：加熱ヒータ（加熱部）
１２：断熱材
２０：便座
２１：便座ヒータ
３０：本体部
３１：人検知用センサ
【図１】
2018000764.tif 000003
【図２】
2018000764.tif 000004
【図３】
2018000764.tif 000005
【図４】
2018000764.tif 000006
【図５】
2018000764.tif 000007